(57)【要約】      （修正有）【課題】季節変動を考慮した日の出／日の入り表示手段を備えた時計を提供する。【解決手段】時計は、時計ムーブメントと、カレンダ機構２２３，２２５と、季節変動を考慮した日の出／日の入り表示手段２１５と、を備える。シンプルカレンダ機構は、日付表示器２２３および月表示器２２５を有する。日の出／日の入り表示手段は、さらに、赤道面に対する太陽の傾きを表すプロファイルを有する年周カム２１１を含み、年周カム２１１は、月表示手段を経由するとともに１：７４４の伝達比を有する運動連鎖２１８を介して、時車セット２０７によって回転駆動されるように構成されている。【選択図】図２
2018105856.tif 000002
【特許請求の範囲】
【請求項１】
時計ムーブメントと、カレンダ機構（１２３，１２５）と、季節変動を考慮した日の出／日の入り表示手段（１０９，１１５）と、を備える時計であって、前記時計ムーブメントは、分車セット（１０５）と、モーションワーク（１０６）と、時表示部材と、前記モーションワーク（１０６）を介して前記分車セット（１０５）によって１２時間に１回転の速度もしくは２４時間に１回転の速度のどちらかで駆動されるように構成されるとともに前記時表示部材と回転一体の時車セット（１０７）と、を含み、前記カレンダ機構（１２３，１２５）は、前記時車セット（１０７）によって駆動されるように構成されるとともに、日付表示手段（１２３）および月表示手段（１２５）を有し、前記日の出／日の入り表示手段（１１５，１０９）は、地球儀を複製した球体（１１７）と、支持体と、前記支持体上で前記球体と同心円状に取り付けられるとともに地球の明暗境界線の位置を示すように構成されたリング（１１３ａ）と、を含み、前記球体（１１７）は、地球儀の極軸に対応する第１の軸に関して、２４時間に１回転の割合で回転駆動されるように構成されており、前記リング（１１３ａ）は、さらに、前記球体の中心で前記第１の軸に直交する第２の軸に関して、前記球体（１１７）に対して枢転可能であるように前記支持体上に取り付けられており、前記日の出／日の入り表示手段は、さらに、赤道面に対する太陽の傾きを表すプロファイルを有するとともに１年に１回転の割合で回転駆動されるように構成された年周カム（１１１）と、前記カムと協働するように構成されたカム従動子と、前記カム従動子を前記リング（１１３ａ）に連結するように構成された第１の運動連鎖（１１２）と、を含み、前記リングで囲まれる平面は、赤道面に対する太陽の傾斜角に等しい角度を、前記第１の軸との間に形成する、時計において、
前記カレンダ機構（１２３，１２５）は、シンプルカレンダ機構であることと、
前記時計ムーブメントは、前記月表示手段（１２５）を介して前記年周カム（１１１）を前記時車セット（１０７）に連結する第３の運動連鎖（１１８）を含むことと、
前記第３の運動連鎖は、前記時車セットが、前記モーションワークによって１２時間に１回転の速度で駆動されるように構成されている場合に、１：７４４の伝達比を有するか、または前記第３の運動連鎖は、前記時車セットが、前記モーションワークによって２４時間に１回転の速度で駆動されるように構成されている場合に、１：３７２の伝達比を有するか、いずれかであること、を特徴とする時計。
【請求項２】
当該時計は、２４時間に１回転の割合で前記球体を駆動するために、前記時車セット（１０７）を前記球体（１１７）に連結する第２の運動連鎖（１２０）を有することと、
前記時計ムーブメントは、一方で、前記モーションワーク（１０６；８）とは独立に、前記時車セット（１０７；２，３０，３２）を１段ずつ回転させるように構成された手動操作可能なタイムゾーン修正機構（１０１）を有するとともに、他方で、夏時間から冬時間への変更もしくはその逆の変更のために前記タイムゾーン修正機構（１０１）によって前記時車セットを回転させるときに、前記第２の運動連鎖を係合解除するように構成された係合解除機構（１３３）を有すること、を特徴とする、請求項１に記載の時計。
【請求項３】
前記時計ムーブメントは、前記モーションワーク（８；１０６）と噛合してモーションワーク時車と呼ばれる第１の時車（６）と、前記時車セット（２，３０，３２；１０７）と一体の時車と呼ばれる第２の時車（３２）と、を有することと、
前記タイムゾーン修正機構（１０１）は、係合解除可能な連結装置（１２，２０，３６）を含み、前記連結装置は、前記第１の時車（６）と前記第２の時車（３２）を、前記時表示部材（４）が１時間に進む距離に相当する角度で互いに離間して等距離にある複数の既定の相対角度位置のいずれかで回転一体化させるように構成されていること、を特徴とする、請求項２に記載の時計。
【請求項４】
前記第３の運動連鎖（１１８）は、１：７４４の減速比を有する減速輪列を構成しており、前記時車セット（１０７）と回転一体であるとともに１８歯のカナを有する減速車セットを含み、前記減速車セットの前記カナは、２４時間で１回転を終えるように構成された第１の中間車セット（１１９）の３６歯の歯車と噛合しており、前記第１の中間車セットは２つの爪を備え、前記２つの爪は、それぞれ、３１歯の日星車、および第２の中間車セットのうちの４０歯の星車を、２４時間に１回、１段ずつ進めるように構成されており、前記第２の中間車セットは、さらに、前記４０歯の星車と同軸状に一体化された１０歯のカナを含み、前記１０歯のカナは、前記年周カム（１１１）が取り付けられている年車セットの９３歯の歯部と噛合するように構成されている、ことを特徴とする、請求項１〜３のいずれかに記載の時計。
【請求項５】
前記時計ムーブメントは、前記時車セット（１０７）、前記時表示部材、前記日付表示手段（１２３）、前記月表示手段（１２５）、前記年周カム（１１１）、および前記球体（１１７）の角度位置にも影響を及ぼすように、前記分車セット（１０５）および前記モーションワーク（１０６）に作用するように構成された手動操作可能な時刻設定装置（１３１，Ｔ３）を有することを特徴とする、請求項１〜４のいずれかに記載の時計。
【請求項６】
季節変動を考慮した前記日の出／日の入り表示手段（１１５，１０９）は、地球儀を複製した前記球体（１１７）と同心円状に配置されたシェル（１１３）を含み、前記シェルは、夜間である地球儀の部分を昼間である他の部分から区分するように構成されている、ことと、
前記シェルは、半球の全体形状を有するとともに、略円形のリムを有し、前記リムは、地球の明暗境界線の位置を示すように構成された前記リング（１１３ａ）を形成していること、を特徴とする、請求項１〜５のいずれかに記載の時計。
【請求項７】
前記第２の軸は、前記リング（１１３ａ）の直径と略同一線上にあることと、
前記シェル（１１３）は、前記直径の両端を延長した２つのピボットを支持しており、前記２つのピボットは、前記支持体上で回転すること、を特徴とする、請求項６に記載の時計。
【請求項８】
前記リング（１１３ａ）を形成している前記リムは、前記２つのピボットの間の中間で、直径に関して相対する位置に配置された２つのノッチを有することを特徴とする、請求項７に記載の時計。
【請求項９】
時計ムーブメントと、カレンダ機構（２２３，２２５）と、季節変動を考慮した日の出／日の入り表示手段（２０９，２１５）と、を備える時計であって、前記時計ムーブメントは、分車セット（２０５）と、モーションワーク（２０６）と、時表示部材と、前記モーションワーク（２０６）を介して前記分車セット（２０５）によって１２時間に１回転の速度もしくは２４時間に１回転の速度のどちらかで駆動されるように構成されるとともに前記時表示部材と回転一体の時車セット（２０７）と、を含み、前記カレンダ機構（２２３，２２５）は、前記時車セット（２０７）によって駆動されるように構成されるとともに、日付表示手段（２２３）および月表示手段（２２５）を有し、前記日の出／日の入り表示手段（２１５，２０９）は、地球儀を複製した球体（２１７）と、支持体と、前記支持体上で前記球体と同心円状に取り付けられるとともに地球の明暗境界線の位置を示すように構成されたリング（２１３ａ）と、を含み、前記リング（２１３ａ）は、地球儀の極軸に対応する第１の軸に関して、２４時間に１回転の割合で回転駆動されるように構成されており、前記リング（２１３ａ）は、さらに、前記球体の中心で前記第１の軸に直交する第２の軸に関して、前記球体（２１７）に対して枢転可能でもあるように前記支持体上に取り付けられており、前記日の出／日の入り表示手段は、さらに、赤道面に対する太陽の傾きを表すプロファイルを有するとともに１年に１回転の割合で回転駆動されるように構成された年周カム（２１１）と、前記カムと協働するように構成されたカム従動子と、前記カム従動子を前記リング（２１３ａ）に連結するように構成された第１の運動連鎖（２１２）と、を含み、前記リングで囲まれる平面は、赤道面に対する太陽の傾斜角に等しい角度を、前記第１の軸との間に形成する、時計において、
前記カレンダ機構（２２３，２２５）は、シンプルカレンダ機構であることと、
前記時計ムーブメントは、前記月表示手段（２２５）を介して前記年周カム（２１１）を前記時車セット（２０７）に連結する第３の運動連鎖（２１８）を含むことと、
前記第３の運動連鎖は、前記時車セット（２０７）が、前記モーションワーク（２０６）によって１２時間に１回転の速度で駆動されるように構成されている場合に、１：７４４の伝達比を有するか、または前記第３の運動連鎖は、前記時車セット（２０７）が、前記モーションワーク（２０６）によって２４時間に１回転の速度で駆動されるように構成されている場合に、１：３７２の伝達比を有するか、いずれかであること、を特徴とする時計。
【請求項１０】
当該時計は、２４時間に１回転の割合で前記リングを駆動するために、前記時車セット（２０７）を前記リング（２１３ａ）に連結する第２の運動連鎖（２２０）を有することと、
前記時計ムーブメントは、一方で、前記モーションワーク（２０６；８）とは独立に、前記時車セット（２０７；２，３０，３２）を１段ずつ回転させるように構成された手動操作可能なタイムゾーン修正機構（２０１）を有するとともに、他方で、夏時間から冬時間への変更もしくはその逆の変更のために前記タイムゾーン修正機構（２０１）によって前記時車セットを回転させるときに、前記第２の運動連鎖を係合解除するように構成された係合解除機構（２３３）を有すること、を特徴とする、請求項９に記載の時計。
【請求項１１】
前記時計ムーブメントは、前記モーションワーク（８；２０６）と噛合してモーションワーク時車と呼ばれる第１の時車（６）と、前記時車セット（２，３０，３２；２０７）と一体の時車と呼ばれる第２の時車（３２）と、を有することと、
前記タイムゾーン修正機構（２０１）は、係合解除可能な連結装置（１２，２０，３６）を含み、前記連結装置は、前記第１の時車（６）と前記第２の時車（３２）を、前記時表示部材（４）が１時間に進む距離に相当する角度で互いに離間して等距離にある複数の既定の相対角度位置のいずれかで回転一体化させるように構成されていること、を特徴とする、請求項１０に記載の時計。
【請求項１２】
前記第３の運動連鎖（２１８）は、１：７４４の減速比を有する減速輪列を構成しており、前記時車セット（２０７）と回転一体であるとともに１８歯のカナを有する減速車セットを含み、前記減速車セットの前記カナは、２４時間で１回転を終えるように構成された第１の中間車セット（２１９）の３６歯の歯車と噛合しており、前記第１の中間車セットは２つの爪を備え、前記２つの爪は、それぞれ、３１歯の日星車、および第２の中間車セットのうちの４０歯の星車を、２４時間に１回、１段ずつ進めるように構成されており、前記第２の中間車セットは、さらに、前記４０歯の星車と同軸状に一体化された１０歯のカナを含み、前記１０歯のカナは、前記年周カム（２１１）が取り付けられている年車セットの９３歯の歯部と噛合するように構成されている、ことを特徴とする、請求項９〜１１のいずれかに記載の時計。
【請求項１３】
前記時計ムーブメントは、前記時車セット（２０７）、前記時表示部材、前記日付表示手段（２２３）、前記月表示手段（２２５）、前記年周カム（２１１）、および前記第１の軸に関する前記リング（２１３ａ）の角度位置にも影響を及ぼすように、前記分車セット（２０５）および前記モーションワーク（２０６）に作用するように構成された手動操作可能な時刻設定装置（２３１，Ｔ３）を有することを特徴とする、請求項９〜１２のいずれかに記載の時計。
【請求項１４】
前記リング（２１３ａ）が取り付けられている前記支持体は、回転することと、
前記第２の運動連鎖（２２０）は、前記時車セット（２０７）を前記回転支持体に連結する輪列を含むこと、を特徴とする、請求項９〜１３のいずれかに記載の時計。
【請求項１５】
季節変動を考慮した前記日の出／日の入り表示手段（２１５，２０９）は、地球儀を複製した前記球体（２１７）と同心円状に配置されたシェル（２１３）を含み、前記シェルは、夜間である地球儀の部分を昼間である他の部分から区分するように構成されている、ことと、
前記シェルは、半球の全体形状を有するとともに、略円形のリムを有し、前記リムは、地球の明暗境界線の位置を示すように構成された前記リング（２１３ａ）を形成していること、を特徴とする、請求項９〜１４のいずれかに記載の時計。
【請求項１６】
前記第２の軸は、前記リング（２１３ａ）の直径と略同一線上にあることと、
前記シェル（２１３）は、前記直径の両端を延長した２つのピボットを支持しており、前記２つのピボットは、前記支持体上で回転すること、を特徴とする、請求項１５に記載の時計。
【請求項１７】
前記リング（２１３ａ）を形成している前記リムは、前記２つのピボットの間の中間で、直径に関して相対する位置に配置された２つのノッチを有することを特徴とする、請求項１６に記載の時計。
【請求項１８】
当該時計はウォッチであることを特徴とする、請求項１〜１７のいずれかに記載の時計。
【発明の詳細な説明】
【技術分野】
【０００１】
本発明は、時計ムーブメントと、カレンダ機構と、季節変動を考慮した日の出／日の入り表示手段と、を備えた時計に関し、時計ムーブメントは、分車セットと、モーションワークと、時表示部材と、モーションワークを介して分車セットによって１２時間に１回転の速度もしくは２４時間に１回転の速度で駆動されるように構成されるとともに時表示部材と回転一体である時車セットと、を有し、カレンダ機構は、時車セットによって駆動されるように構成されるとともに、日付表示手段および月表示手段を有し、日の出／日の入り表示手段は、地球儀を複製した球体と、支持体と、支持体上で球体と同心円状に取り付けられるとともに地球の明暗境界線の位置を示すように構成されたリングと、を含み、リングと球体は、地球儀の極軸に対応する第１の軸に関して、２４時間に１回転の割合で互いに対して回転するように構成されており、さらに、リングは、支持体上で、球体の中心で第１の軸に直交する第２の軸に関して、球体に対して枢転可能でもあるように取り付けられており、日の出／日の入り表示手段は、さらに、赤道面に対する太陽の傾きを表すプロファイルを有するとともに１年に１回転の割合で回転駆動されるように構成された年周カムと、カムと協働するように構成されたカム従動子と、カム従動子をリングに連結するように構成された第１の運動連鎖と、を含み、リングで囲まれる平面は、赤道面に対する太陽の傾斜角に等しい角度を、第１の軸との間に形成する。本発明は、特に、この種の時計に関し、季節変動を考慮した日の出／日の入り表示手段は、さらに、日中（昼間）である地球の表面部分および暗闇（夜間）である地球の表面部分をも示すものである。
【背景技術】
【０００２】
昼間期間とは、一日ごとに、日の出時に太陽の上縁が東の地平線の上に現れる瞬間から、日の入り時に太陽の上縁が西の地平線の下に消えるまでの時間である。いずれの時点であっても、常に、地球の表面の半分が太陽で照らされており、もう半分は暗闇の中にある。地球の明暗境界線とは、照らされた地球の部分と暗い部分との間の境界線である。幾何学的には、地球の明暗境界線は、地球を取り囲む大円である。この大円は、太陽の周りでの地球の公転軌道面（黄道面と呼ばれる）に垂直な平面に広がっている。また、地球の中心は、これら２つの平面の交線上にあることも注目される。
【０００３】
一般的に、昼間の長さは、１年を通じて変化するとともに、緯度によって異なる。このような変化は、地球の自転軸が黄道面に対して傾いていることに起因する。この傾きは、定義によれば、±２３°２７’である回帰線緯度に相当する。周知のように、昼間の長さは、北半球の１２月の至点および南半球の６月の至点において、最も短い。分点では、地球上のどこにおいても、昼間と夜間の長さが同じである。
【０００４】
昼と夜の境界の現在位置を表示するように構成されるとともに、上記前文で提示した定義を満たす時計は、既に知られている。特に、本出願人の名義による特許文献１、特許文献２、および特許文献３に記載がある。ところが、それらの時計の使用および設計は、いくつかの難点を伴う。
【０００５】
特に、それらの時計は、赤道面に対する太陽の傾きを表すプロファイルを有するとともにムーブメントによって１年に１回転の割合で回転駆動されるように構成された年周カムを備える。これらの時計の欠点の１つは、時計の不確定な停止期間の後に、年周カムを正しい位置に戻すことが問題となり得ることである。
【先行技術文献】
【特許文献】
【０００６】
【特許文献１】欧州特許第２９１１０１３号明細書
【特許文献２】欧州特許第２９７７８３２号明細書
【特許文献３】欧州特許第３００７０１２号明細書
【発明の概要】
【発明が解決しようとする課題】
【０００７】
本発明の目的は、先行技術の上記欠点を克服することである。本発明は、添付の請求項１による時計ムーブメントを提供することにより、本目的を達成する。
【課題を解決するための手段】
【０００８】
本発明によれば、時計は、時車セットによって駆動されるように構成されるとともに日付表示手段および月表示手段を有するカレンダ機構を備える。時計は、さらに、月表示手段を介して時車セットを年周カムに連結する第３の運動連鎖を備える。この特徴の第１の利点は、時計の不確定な停止期間の後に、単にカレンダ機構の日付をリセットするだけで、誤差の可能性を伴うことなく、年周カムを正しい位置に自動的に戻すことが可能であることである。
【０００９】
本発明によれば、カレンダ機構は、時車セットによって駆動される。このような状況では、時計の着用者が、例えば時表示を修正するために、時表示を変更すると、この時修正の結果、自動的にカレンダ機構および年周カムは修正される。
【００１０】
さらに、本発明によれば、第３の運動連鎖は、（時車セットが、モーションワークによって１２時間に１回転の速度で駆動されるように構成されている場合に）１：７４４の伝達比を有するか、または（時車セットが、モーションワークによって２４時間に１回転の速度で駆動されるように構成されている場合に）１：３７２の伝達比を有するか、いずれかである。
【００１１】
「３７２」は、すべての月が３１日であるとした場合の１年の日数である（そして「７４４」は「３７２」の２倍に相当する）と確認できる。すべての月が３１日であるカレンダ機構は、シンプルカレンダ機構と呼ばれる。このタイプのカレンダ機構では、３１日未満の月の終わりに、カレンダを更新するために手動で指針または日付ディスクを進めなければならない。月名表示の変更に関しては、これを、日付表示が３１日から月の初日に変わるたびに自動的に実施することが可能である。年周カムが日付表示手段によって駆動されなければ、地球儀上の地球の明暗境界線の現在位置と実際の時刻との差が徐々に増大すると、当業者は考えがちである。しかしながら、例えば、針設定機構を用いて、３１日未満の月の終わりに日付を進めれば、この日付設定操作によって、カレンダ機構と年周カムの同期が失われるおそれはない。
【００１２】
本発明の具体的な実施形態によれば、時計ムーブメントは、モーションワークとは独立に、時車セットを１段進めるか戻すように回転させることによって、夏時間から冬時間もしくはその逆に切り替えるための手動操作可能な夏／冬修正機構を有する。この特徴の第１の利点は、分表示および秒表示に影響を及ぼすことなく、夏時間／冬時間の修正が実施可能となることであることは、当業者であれば理解できるであろう。
【００１３】
上記実施形態の効果的な変形例によれば、手動操作可能な機構は、さらに、球体上の地球の明暗境界線の位置表示に影響を及ぼすことなく、時車セットを回転させるように構成される。この特徴の利点の１つは、地球儀に対してリングの位置が変化することを、それが地球の表面に対する太陽の実際の動きを反映するものではない場合に防ぐことであることは、当業者であれば理解できるであろう。
【００１４】
本発明の他の特徴および効果は、単なる非限定的な例として、添付の図面を参照して提示される以下の説明を読解することで、明らかになるであろう。
【図面の簡単な説明】
【００１５】
【図１】図１は、本発明の第１の具体的な実施形態による時計の各種機構の間の運動連結を簡単に示すブロック図である。
【図２】図２は、本発明の第２の具体的な実施形態による時計の各種機構の間の運動連結を簡単に示すブロック図である。
【図３】図３Ａおよび図３Ｂは、第１および第２の時車と、それら２つの時車の回転一体化および割り出しまたは二者択一的に係合解除を実施するように構成された係合解除可能な連結装置と、を含む機構として知られる例示的な機構の、それぞれ断面図および図である。
【発明を実施するための形態】
【００１６】
添付の図１は、本発明の第１の例示的な実施形態による時計の各種機構を結び付ける運動連結を示すブロック図である。この極めて基本的なブロック図は、太矢印を用いて、ムーブメントによって供給される駆動力を各種機構に伝達するための手段を表しており、さらに、細矢印を用いて、ユーザが手動で入力したコマンドを伝達するように構成された運動連結を表している。
【００１７】
図１のブロック図において、運動連結をシンボル表示している矢印は、それらの間で、時計の各種機構を表すシンボルを連結している。これらのシンボルが表す機構として、駆動部材と調速部材および脱進機とを組み合わせた駆動機構１０３と、駆動機構によって１時間に１回転の割合で駆動されるように構成された、分表示部材と一体の（参照符号１０５で示す）分車セットと、時表示部材と回転一体の時車セット１０７と、時車セットが１２時間ごとに１回転の割合で駆動されるように、分車セットを時車セットに連結するモーションワーク１０６と、モーションワーク１０６と時車セット１０７との間に挿入された（参照符号１０１で示す）タイムゾーン修正機構、が含まれる。
【００１８】
本発明によれば、図示の時計は、さらに、季節変動を考慮した日の出／日の入り表示手段を備え、これらの手段は、地球儀を複製した球体と、支持体と、支持体上で球体と同心円状に取り付けられて、地球の明暗境界線の位置を示すように構成されたリングと、を含む。リングと球体は、地球儀の極軸に対応する第１の軸に関して、２４時間に１回転の割合で互いに対して回転駆動されるように構成されている。さらに、リングは、球体の中心で第１の軸に直交する第２の軸に関して、球体に対して枢転可能でもあるように、支持体上に取り付けられている。日の出／日の入り表示手段は、さらに、赤道面に対する太陽の傾きを表すプロファイルを有するとともに１年に１回転の割合で回転駆動されるように構成された年周カムと、カムと協働するように構成されたカム従動子と、カム従動子をリングに連結するように構成された第１の運動連鎖と、を含み、リングで囲まれる平面は、赤道面に対する太陽の傾斜角に等しい角度を、第１の軸との間に形成する。再び図１を参照すると、図示の実施形態では、時計は、地球儀を表現した球体１１７と、暗闇（夜間）である地球表面の半分を暗くしたり覆い隠したりするために球体１１７と同心円状に配置された半球シェル１１３と、を含む日の出および／または日の入り表示機構１１５を備えることが分かる。シェル１１３は、略円形のリム１１３ａを有し、このリムは、本発明による日の出／日の入り表示手段のリングを形成している。
【００１９】
再び図１を参照すると、図示の時計は、さらに、時車セット１０７によって駆動されるように構成されたカレンダ機構を備えることが分かる。図示のカレンダ機構は、日付表示手段１２３および月表示手段１２５を有する。本発明によれば、カレンダ機構は、「シンプルカレンダ」タイプのものである。当業者には周知のように、シンプルカレンダ機構では、３１日未満の月の終わりに、日付を修正するために、日付表示を手動で進めなければならない。月名表示の変更に関しては、日付表示が３１日から月の初日に変わるたびに、それが自動的に実施される。
【００２０】
図示の例では、時車セットは、日付表示手段１２３を経由しない減速輪列１１８を介して、月表示手段１２５を駆動するように構成されている。減速輪列１１８は、次のように構成される。時車セット１０７は、１８歯のカナを含む減速車セット（図示せず）と回転一体である。減速車セットのカナは、（参照符号１１９で示す）第１の中間車セットの３６歯の歯車と噛合しており、従って、これは２４時間で１回転を終えるように構成されている。第１の中間車セット１１９は、さらに２つの爪を有し、これらは、それぞれ、３１歯の日星車の歯の１つ、および第２の中間車セット（図示せず）の一部をなす４０歯の星車の歯の１つと、２４時間ごとに１回、協働することで、それら２つの星車のそれぞれを１段進めるように構成されている。第２の中間車セットは、さらに、４０歯の星車と同軸状に配置された１０歯のカナを含む。１０歯のカナは、月表示手段１２５の年車セットの９３歯の歯部と噛合するように構成されている。
【００２１】
さらに図１を参照すると、図示の時計は、さらに、年周カム１１１とカム従動子（図示せず）とを含む（参照符号１０９で示す）傾転制御機構を備えることが分かる。本発明によれば、時車セット１０７は、月表示手段１２５を経由する第３の運動連鎖１１８を介して年周カムを駆動する。図示の例では、年周カム１１１は、月表示手段の年車セットによって支持されている。このように、年車セットは、傾転制御機構１０９および月表示手段１２５の両方の一部をなしている。従って、本発明により時車セット１０７と年周カム１１１を連結する第３の運動連鎖は、図示の例では、月表示手段１２５に関連して上述した減速輪列１１８によって形成されることは理解されるであろう。減速輪列１１８の減速比は、１：７４４である。ただし、図示の例では、時車セット１０７は、１２時間ごとに完全な１回転するように構成されていることに留意すべきである。本発明によれば、代替的に、時車セットは、１２時間ごとではなく２４時間ごとに１回転の割合で回転するように構成することが可能であり、その場合、減速輪列の減速比は１：３７２となって、輪列が短縮されることは、当業者であれば理解できるであろう。
【００２２】
図１に示す本発明の実施形態によれば、球体１１７に対するシェル１１３の動きは、球体の中心で交差する２つの直交軸に関する別個の回転の組み合わせの結果である。これら２つの回転のうちの第１の回転は、これら２つの軸のうちの第１の軸に関して２４時間に１回転の割合で回転するように構成された地球によるものであり、他方の回転は、夜を表す暗半球シェル１１３（暗半球）が第２の軸に関して枢転することに相当し、これは、第１の軸に対する半球の傾斜角の変化として現れる。暗半球１１３と球体１１７の互いに対する動きは、機能的に独立した２つの動きであるので、日の出および／または日の入り表示機構１１５は、図１において２度示されている。同図を参照すると、１度は、２４時間に１回転の割合での第１の軸に関する球体１１７の回転を表現するために、２度目は、第２の軸に関する暗半球１１３の枢転を表現するために、機構１１５が示されていることは理解されるであろう。
【００２３】
本発明によれば、第２の軸に関する枢転動は、地球の赤道面の上または下の太陽の相対的な傾きを表すプロファイルを有する年周カム１１１を用いて制御される。カム従動子（図示せず）は、カムプロファイルにおける変化を、第１の運動連結１１２を介して半球シェル１１３に伝達するように構成される。本発明の第１の実施形態によれば、暗半球１１３は、固定支持体上で枢転するように取付けられており、表示機構１１５の構成、ならびに第１の運動連結１１２の構成は、例えば欧州特許第２９１１０１３号における記載に沿ったものであり得る。この文献は、参照により本明細書に組み込まれる。
【００２４】
再び図１を参照すると、その動作が示されている時計は、時計の着用者によって手動操作されるように構成された、いくつかの修正機構をさらに備えることが分かる。まず第１に、前述のように、（参照符号１０１で示す）タイムゾーン修正機構が、モーションワーク１０６と時車セット１０７との間に挿入されている。以下で説明するように、その時変更が、例えば旅行に伴って経度が実際に変わったことに関連するのか、または冬時間から夏時間への変更もしくはその逆の変更に関連するのかに応じて、２通りの異なる方法で機構１０１を制御することができる。図示の例では、時計の着用者が、旅行中にタイムゾーンを変更するときには、時計の制御ステム１３１によって時刻表示を修正することができる。これを実行するためには、着用者は、ステム１３１を位置Ｔ２に動かしてから、竜頭を回転させることで、一連の１時間飛ばしで時針を進めるか戻すように動かさなければならない。上述のように、時車セット１０７は、第３の運動連鎖１１８を介して、月表示機構１２５および年周カム１１１を駆動する。さらに、時車セット１０７は、日付機構１２３、および第１の軸に関する地球１１７の回転も駆動する。このため、年周カム１１１と、カレンダ機構１２３、１２５と、日の出および／または日の入り表示機構１１５とは、駆動機構１０３によって駆動されるときだけではなく、位置Ｔ２にある制御ステム１３１によって手動で進めるか戻すように駆動されるときにも、同期して進むように構成されていることは理解されるであろう。
【００２５】
図示の例では、冬時間から夏時間への変更もしくは夏時間から冬時間への変更の際には、時計の着用者は、プッシャＰ２を操作することによって、１時間進めるか戻すように正確に時刻表示を動かすことができる。プッシャＰ２は、操作されると、タイムゾーン修正機構１０１に作用するだけではなく、地球を２４時間に１回転の割合で回転駆動するように構成された第２の運動連鎖１２０を係合解除するために係合解除機構１３３にも作用する。第２の運動連鎖を係合解除することで、球体１１７に対する暗半球１１３の相対角度位置が、夏時間と冬時間の間の移行による影響を受けることを防いでいることは理解されるであろう。
【００２６】
上記のタイムゾーン修正機構１０１に加えて、本例の時計は、従来型の時刻設定機構を備える。この時刻設定機構によって、時計の着用者は、時計の制御ステム１３１を用いて時刻を設定することが可能となる。これを実行するためには、着用者は、ステム１３１を位置Ｔ３に動かしてから、竜頭を回転させなければならない。現在の多くの時計におけるのと同様に、時刻設定機構は、モーションワーク１０６を駆動するように構成されており、これが次に、分車セット１０５および時車セット１０７を駆動する。前述のタイムゾーンの修正の場合と同様に、時車セット１０７は、第３の運動連鎖１１８を介して、月表示機構１２５および年周カム１１１を駆動する。さらに、時車セット１０７は、日付機構１２３、および第１の軸に関する地球の回転も駆動する。このため、年周カム１１１と、カレンダ機構１２３、１２５と、日の出および／または日の入り表示機構１１５とは、位置Ｔ３にある制御ステム１３１によって手動で進めるか戻すように駆動されるときにも、同期して進むように構成されていることは理解されるであろう。
【００２７】
最後に、本実施形態の時計のカレンダ機構は、さらに、月修正機構を含む。時計の着用者が、例えば時計の不確定な停止期間の後に、月表示を修正したいときには、プッシャＰ１を操作することによって月表示を１段ずつ進めるか戻すように動かすことができる。本例におけるように、月表示手段１２５の年車セットが年周カム１１１も支持していると、日付修正器を用いて日付表示が変更されるときでも、年周カムは、日付表示と同期して進む。
【００２８】
添付の図２は、図１のブロック図と非常に類似したブロック図であるが、本発明の第２の例示的な実施形態による時計の各種機構を結び付ける運動連結を示している。同図から分かるように、第２の実施形態は第１の実施形態と非常に類似しており、特に、時計の着用者によって操作されるように構成された修正機構は、第１の実施形態に関して説明したものと同じものである。図２は、駆動部材と調速部材および脱進機とを組み合わせた駆動機構２０３と、駆動機構によって１時間に１回転の割合で駆動されるように構成された、分表示部材と一体の（参照符号２０５で示す）分車セットと、時表示部材と回転一体の時車セット２０７と、時車セットが１２時間ごとに１回転の割合で駆動されるように、分車セットを時車セットに連結するモーションワーク２０６と、モーションワーク２０６と時車セット２０７との間に挿入された（参照符号２０１で示す）タイムゾーン修正機構と、年周カム２１１とカム従動子（図示せず）とを含む（参照符号２０９で示す）傾転制御機構と、最後に、地球儀を複製した球体２１７と球体に同心円状に配置された半球シェル２１３とを含む（参照符号２１５で示す）日の出および／または日の入り表示機構と、を示している。
【００２９】
図示の例では、時車セット２０７は、第１の例示的な実施形態に関連して上述した運動連鎖１１８と同じものであり得る第３の運動連鎖２１８を介して、年周カムを駆動する。
【００３０】
第２の実施形態では、第１の実施形態の場合と同様に、半球２１３と球体２１７の相対的な動きは、球体の中心で交差する２つの直交軸に関する別個の回転の組み合わせの結果である。ただし、第２の実施形態によれば、球体２１７は駆動されないので、暗半球２１３が２つの回転を同時に実行する。この動作モードは、暗半球２１３が取り付けられる支持体（図示せず）が回転支持体であることによって可能となる。さらに図２を参照すると、図示の実施形態では、時車セット２０７は、夏時間から冬時間への変更に関連して上述した係合解除機構１３３と非常に類似したものであり得る係合解除機構２３３が設けられた運動連鎖２２０（以下、「第２の運動連鎖２２０」）によって、回転支持体（図示せず）に連結されることは明らかである。係合解除機構２３３を除いて、表示機構２１５の構成および第２の運動連結２２０の構成は、例えば欧州特許第２９７７８３２号および欧州特許第３００７０１２号のいずれかにおける記載に沿ったものとすることができる。これら２つの文献は、参照により本明細書に組み込まれる。
【００３１】
再び図２を参照すると、傾転制御機構２０９と表示機構２１５との間に基準機構２１６が挿入されていることが分かる。この機構２１６は、表示機構２１５に連結された出力、および２つの入力を有することが分かる。（「第４の運動連結」２２１と呼ばれる）運動連結２２１は、２つの入力のうちの第１の入力に、時車セット２０７を連結している。このように、機構２１６は、「駆動入力」と呼ばれるその第１の入力を介して、時車セットによって駆動される。また、カムプロファイルにおける変化を伝達するように構成されたカム従動子（図示せず）が、（「第１の運動連結」２１２と呼ばれる）運動連結２１２によって第２の入力に連結されていることも分かる。このように、機構２１６は、「制御入力」と呼ばれるその第２の入力を介して、カム２１１のプロファイルによって制御される。第２の運動連結２２０と同様に、機構２１６の出力は、２４時間に１回転の速度で表示機構２１５を駆動するように構成されている。ただし、機構２１６は、第２の運動連結２２０に対していくらかのオフセットを伴って、表示機構を駆動する。機構２１６は、本発明の範囲から逸脱することなく、多くの形態で実現することができる。それは、例えば、差動機構であってよく、特に、欧州特許第２９７７８３２号に記載されているような差動機構であってよい。また、それは、係合解除機構であってもよく、特に、欧州特許第３００７０１２号に記載されているような係合解除機構であってよい。
【００３２】
さらに図２を参照すると、図示の時計は、さらに、日付表示機構２２３と月表示機構２２５の組み合わせで形成されたカレンダ機構を備えることが分かる。このカレンダ機構は、「シンプルカレンダ」タイプのものである。
【００３３】
次に図３Ａおよび図３Ｂを参照して、参照符号１０１で全体を示す夏／冬修正機構について、さらに詳細に以下で説明する。モーションワーク１０６と時車セット１０７との間に挿入された機構１０１を図１において既に示したことが想起されるであろう。また、図２に示した機構２０１は、機構１０１と同じものであり得る。機構１０１は、内筒と呼ばれる第１の筒２を有し、これは、（図１に示す）駆動機構１０３によって駆動される筒カナＣ上に、通常の方法で回転軸Ｘに関して回転取り付けされるためのものである。内筒２は、時針をなす表示針４を支持しており、これは、機構１０１から突出する筒２の自由端に外側から圧嵌される。
【００３４】
内筒２は、このようにして時筒をなして、プレート７を有する下側歯車と呼ばれる第１の外歯車６を支持している。この場合、効果的には、この下側歯車６は時車をなして、より具体的には「モーションワーク時車」をなして、モーションワーク１０６の歯車８（部分的に示す）と噛合するものと規定される。通常の動作では、この時車６は、モーションワークの歯車８によって伝えられる時間情報を受けて、その情報を、以下で示すように、間接的に内側の時筒２および表示針４に伝える。実際に、下側の時車６は、時筒２上で自由に回転するように取り付けられる。この目的のため、針４を支持している自由端と反対側の時筒２の端に、時車６が固定保持されている星車１２を自由状態で支持するショルダ部を形成する鍔部１０を有する。星車１２は、プレート１３と、外歯部１４と、円周フランジ１６と、を有し、円周フランジは、プレート１３の下で、歯部１４に隣接した端に沿って、歯部に対して裏側で同軸状に配置されている。
【００３５】
時車６は、星車１２の側部に固定保持されて、その歯部１４に当接している。実際に、時車６は、そのプレート７の孔開口を有する中央部によって、フランジ１６に外側から力嵌め、圧嵌、および／またはリベット締めされる。このように、星車１２と時車６とは、直接的に回転一体であり、本例では、それらを組み立てた結果として、時筒２上に配置される単一部品をなす。従って、星車１２と時車６は、モーションワークの歯車８によって、一緒に同時に動かされることが可能である。
【００３６】
夏／冬修正機構は、さらに、段付きの２つの駆動ローラ２０を含み、それらはそれぞれ円柱状の基部２２を有し、そこからスタッド２４が垂直に延出している。それらのローラは、両方とも、レスト状態において、その基部２２によって星車１２の歯部１４に係合し、その基部によって、時車６のプレート７の側部（参照符号なし）に対して横に当接して、自由レスト状態にある。このレスト位置は、図３Ｂの上面図にも示している。それらのローラ２０は、さらに、この場合は閉じた環状バネで形成される弾性復帰手段２６によって、そのレスト位置で歯部１４に弾性保持されており、その環状バネは、星車１２に対して同軸状に取り付けられて、ローラ２０の基部２２の外周に対して径方向に作用している。この場合、注目されるのは、バネ２６は、機構１０１への固定取り付けを全く用いることなく、駆動ローラ２０に当接させて、自由状態で取り付けられるということである。また、バネ２６は、時車６のプレート７に対しても、より具体的にはプレート７上においても、自由状態で載置されている。従って、バネ２６は、自己支持されるとともに、自己センタリングする。
【００３７】
夏／冬修正機構は、さらに、外筒と呼ばれる第２の筒３０を含み、これはガイド孔３１を有し、この孔３１によって第１の筒２に外側から固定される。この第２の筒３０は、下側の時車６の上方に配置されて「上側歯車」より具体的には「時車」と呼ばれる第２の外歯車３２を支持している。この場合、歯車６、３２の上側位置と下側位置は、時針を上向きにして修正機構を示す図３Ａの図面を参照するものと規定される。上側歯車３２は、プレート３３を有し、その外歯部によって歯車３４と噛合しており、そして歯車３４は、時計の外側から手動操作可能な修正部材で駆動される。
【００３８】
従って、上側歯車３２は、夏／冬修正車をなしており、これにより、以下で明らかとなるように、モーションワークに作用することなく、ひいては、通常はモーションワークによって時筒２に運動連結されている分および秒のような他の時間情報を混乱させることなく、時筒２および表示針４の位置の修正が直接可能である。効果的には、外筒３０は、内側の時筒２に外側から力嵌めされることで、時筒に固定される。従って、これら２つの筒は、回転一体であり、一緒に動かすことが可能である。なお、時筒２、外筒３０、上側歯車３２は、合わせて時車セット１０７を形成していることは理解されるであろう。このように、上側の修正車３２は、外筒３０を介して内側の時筒２に作用することが可能である。
【００３９】
時筒２は、モーションワーク１０６によって、特にモーションワークの歯車８によって、通常動作においても駆動されるものと規定される。これは、修正車３２のプレート３３に径方向溝３６が配置されており、その溝内にスタッド２４が遊係合して、溝内で径方向に並進可能であることによる。従って、星車１２自体が時車６によって駆動されたときに、ローラ２０は、修正車３２と、２つの筒２および３０を回転駆動することが可能である。
【００４０】
他のタイムゾーンに変更するには、時計の使用者は、修正車３２を回転させなければならず、このとき、（星車１２および時車６は静止したままで）ローラ２０は、角変位して、星車１２の歯部１４において歯飛びし、バネ２６を楕円状にする。その後、ローラ２０は、星車１２の歯部１４においてレスト位置に戻るが、図３Ｂの位置に対してオフセットされている。このとき、針４は、他のタイムゾーンを示している。図面では（１２時間表示のために）星車１２の歯部は１２歯を有しているが、この歯部は、２４時間時計に適用するためには２４歯を有し得るものと規定される。
【００４１】
また、添付の請求項で規定される本発明の範囲から逸脱することなく、本明細書の主題をなす実施形態に対して、当業者には明らかである種々の変更および／または改良を実施してもよいことは明らかであろう。
【符号の説明】
【００４２】
２        第１の筒（内筒）（時筒）（時車セット）
４        表示針（時針）
６        第１の外歯車（下側歯車）（第１の時車）
７        第１の外歯車のプレート
８        モーションワークの歯車（モーションワーク）
１０      鍔部
１２      星車（連結装置）
１３      星車のプレート
１４      星車の外歯部
１６      円周フランジ
２０      駆動ローラ（連結装置）
２２      駆動ローラの基部
２４      スタッド
２６      環状バネ（弾性復帰手段）
３０      第２の筒（外筒）（時車セット）
３１      ガイド孔
３２      第２の外歯車（上側歯車）（夏／冬修正車）（第２の時車）（時車セット）
３３      第２の外歯車のプレート
３４      （修正部材で駆動される）歯車
３６      径方向溝（連結装置）
１０１    タイムゾーン修正機構（夏／冬修正機構）
１０３    駆動機構
１０５    分車セット
１０６    モーションワーク
１０７    時車セット
１０９    傾転制御機構（日の出／日の入り表示手段）
１１１    年周カム
１１２    第１の運動連結
１１３    半球シェル（暗半球）
１１３ａ  半球シェルのリム（リング）
１１５    日の出／日の入り表示機構（日の出／日の入り表示手段）
１１７    球体（地球）
１１８    減速輪列（第３の運動連鎖）
１１９    第１の中間車セット
１２０    第２の運動連鎖
１２３    日付表示手段（日付機構）（カレンダ機構）
１２５    月表示手段（月表示機構）（カレンダ機構）
１３１    制御ステム（時刻設定装置）
１３３    係合解除機構
２０１    タイムゾーン修正機構
２０３    駆動機構
２０５    分車セット
２０６    モーションワーク
２０７    時車セット
２０９    傾転制御機構（日の出／日の入り表示手段）
２１１    年周カム
２１２    第１の運動連結
２１３    半球シェル（暗半球）
２１３ａ  半球シェルのリム（リング）
２１５    日の出／日の入り表示機構（日の出／日の入り表示手段）
２１６    基準機構
２１７    球体
２１８    第３の運動連鎖
２１９    第１の中間車セット
２２０    第２の運動連鎖（第２の運動連結）
２２１    第４の運動連結
２２３    日付表示器（日付表示機構）（日付表示手段）（カレンダ機構）
２２５    月表示器（月表示機構）（月表示手段）（カレンダ機構）
２３１    制御ステム（時刻設定装置）
２３３    係合解除機構
Ｃ        筒カナ
Ｐ１      プッシャ
Ｐ２      プッシャ
Ｔ２      （制御ステムの）位置
Ｔ３      （制御ステムの）位置（時刻設定装置）
Ｘ        回転軸
【図１】
2018105856.tif 000003
【図２】
2018105856.tif 000004
【図３】
2018105856.tif 000005
【外国語明細書】
2018105856000001.pdf